(57)【要約】【課題】  遊技者および遊技施設にとって取り扱いが容易で快適な遊技環境を提供できる遊技機の灰皿構造を提供する。【解決手段】  遊技機の前面に突出して設けられた下球皿構造体２０に、上方に開口して遊技機から払い出された遊技球を貯留する下球皿と、上面が開口した箱状の灰皿とを備える遊技機において、下球皿構造体２０に下球皿２３と隣接して灰皿５０を収容する収容凹部６０を設け、この収容凹部６０に灰皿５０の後部と係脱自在な後方係合部６５，６６および灰皿５０の下部と係脱自在な下方係合部６７を形成する。そして、灰皿５０の後部を後方係合部に係合させ灰皿５０の下部を下方係合部に係合させることで、灰皿５０が収容凹部６０に着脱自在に取り付けられるように灰皿構造ＡＴ１を構成する。【選択図】  図２
2005052334.tif 000002
【特許請求の範囲】
【請求項１】
遊技機の前面に突出して設けられた受け皿構造体に、上方に開口して前記遊技機から払い出された褒賞品を貯留する受け皿と、上面が開口した箱状の灰皿とを備える遊技機の灰皿構造であって、
前記受け皿構造体には前記受け皿と隣接して前記灰皿を収容する収容凹部を有し、
前記収容凹部には前記灰皿の後部と係脱自在な後方係合部および前記灰皿の下部と係脱自在な下方係合部が設けられ、
前記灰皿の後部を前記後方係合部に係合させ前記灰皿の下部を前記下方係合部に係合させることで前記灰皿が前記収容凹部に着脱自在に取り付けられることを特徴とする遊技機の灰皿構造。
【請求項２】
前記受け皿と前記灰皿との間に区画壁を有し、
前記区画壁が前記受け皿の開口上面よりも上方に突出して形成されていることを特徴とする請求項１に記載の遊技機の灰皿構造。
【発明の詳細な説明】
【技術分野】
【０００１】
本発明は、遊技機の前面に突出して設けられた受け皿構造体に、遊技機から払い出された褒賞品を貯留する受け皿と、上面が開口した箱状の灰皿とを備える遊技機の灰皿構造遊に関する。
【背景技術】
【０００２】
上記のように、遊技機の前面に突出する受け皿構造体を有し、この受け皿構造体に、遊技機から払い出された褒賞品を貯留する受け皿と、上面が開口した箱状の灰皿とを備えた遊技機としてパチンコ機、スロットマシンなどがある。例えばパチンコ機では、遊技盤を収容保持する前枠の前面下部に前方に突出して下球皿構造体が設けられ、この下球皿構造体に、パチンコ機の球払出装置から払い出された褒賞品としての遊技球（賞球）を貯留する下球皿と、遊技者の喫煙用の灰皿とが隣接して設けられている。
【０００３】
このような遊技機の灰皿は、主として外観デザイン上の要請から、下球皿構造体の外形輪郭線の一部をなすように下球皿構造体に埋め込まれて周辺形状と滑らかに繋って形成され、また吸い殻の回収作業を容易化するため、上面開放の箱状の灰皿が下球皿構造体に回動可能に枢結され、例えば灰皿の前面下部を押圧する等により灰皿が回動して上下反転するように取り付けられている（特許文献１を参照）。
【特許文献１】特許第２７００１９９号公報
【発明の開示】
【発明が解決しようとする課題】
【０００４】
ところで、近年では遊技機の設計技術の向上から遊技機本体の構造的な機械寿命が長くなる反面、遊技機メーカー各社の開発競争の激化により新機種が集客できる商品寿命はむしろ短縮化の傾向にある。このため、遊技機本体の主要な構造を流用しつつ遊技盤や主基板を交換して新機種に変更する、いわゆる盤面換えの入れ替え形態が多く見られるようになっている。このような入れ替え形態では、遊技機の顔である遊技盤が新規な盤面に交換され新台として遊技に供されるわけであるが、遊技機本体の基本的な枠部材である前枠が流用されることから、その汚れや傷を気にする遊技者および施設管理者が多くなり新たな課題が生じている。
【０００５】
特に、下球皿構造体に設けられた灰皿およびその周辺領域は、高温のタバコを取り扱うため本来的に汚れや損傷を受けやすく、またタバコに起因する汚れや焼けこげの跡は遊技者に不快感を与えるものである。例えば、ガムが捨てられたところにタバコの火が押し当てられるとガムが融着してこびりつき、通常の清掃作業だけではガムを完全に剥離することが困難である一方、このような汚れは遊技者にとって極めて不快なものである。
【０００６】
ところが、従来の灰皿は、吸い殻の回収作業を考慮して回動自在に設けられているものの、下球皿構造体に枢結されて容易には着脱できないように構成されており（前述した特許文献１を参照）、吸い殻の回収作業は行えても、遊技施設の係員が灰皿を取り外して丸洗い洗浄したり交換したりすることは事実上困難であった。このため、遊技者や施設管理者に一定程度の忍耐を強いる状況が発生し、汚れがひどく遊技に供するのが不適当な状況にまで達した場合や灰皿が破損した場合には、専門の営業者を呼んで遊技施設の営業時間終了後に灰皿の交換作業を依頼しなければならないという問題があった。
【０００７】
また、上述したように、灰皿が下球皿構造体に埋め込まれて周辺形状と滑らかに繋る形態で形成されていたため、例えば遊技者が下球皿に貯留された遊技球をすくい上げて上球皿に持ち上げようとしたときに、下球皿から溢れ出た遊技球が灰皿に転落して吸い殻の中に紛れたり、逆にタバコの灰が下球皿に混入して遊技球が灰まみれになったりして、その処理が煩わしいという直接的な問題に加えて、遊技機内部の球通路にまでタバコの灰が混入してトラブルの原因になるという二次的な問題も生じていた。
【０００８】
このため、遊技施設の中には、下球皿構造体の下方に張出設置された遊技島の球箱載置台に別個独立した灰皿を設け、遊技機側の灰皿の使用を禁止するところも見られるようになっている。しかしながら、このように低く奥まった位置に配設された灰皿では、吸い殻の回収作業が行いにくいうえ、大型の球箱が載置できなくなったり遊技者が球箱をぶつけて灰皿をひっくり返したり破損させてしまうことがあり、解決策として十分なものではなかった。
【０００９】
本発明は上記のような種々の問題に鑑みてなされたものであり、遊技者および遊技施設にとって、ともに取り扱いが容易で快適な遊技環境を提供できる遊技機の灰皿構造を提案することを目的とする。
【課題を解決するための手段】
【００１０】
本発明は、遊技機の前面に突出して設けられた受け皿構造体（例えば、実施形態における下球皿構造体２０、受け皿構造体１２０）に、上方に開口して遊技機から払い出された褒賞品を貯留する受け皿（例えば、実施形態における下球皿２３、メダル受け１２３）と、上面が開口した箱状の灰皿とを備える遊技機の灰皿構造である。その上で、本発明の灰皿構造では、受け皿構造体に受け皿と隣接して灰皿を収容する収容凹部を有し、この収容凹部には灰皿の後部と係脱自在な後方係合部および灰皿の下部と係脱自在な下方係合部が設けられている。そして、灰皿の後部を後方係合部に係合させ灰皿の下部を下方係合部に係合させることで、灰皿が収容凹部に着脱自在に取り付けられるように構成される。
【００１１】
また、上記受け皿と灰皿との間に区画壁を設け、この区画壁が受け皿の開口上面よりも上方に突出するように形成して遊技機の灰皿構造を構成する。
【発明の効果】
【００１２】
この遊技機の灰皿構造では、受け皿構造体に設けられた収容凹部に、灰皿の後部と係脱自在な後方係合部および灰皿の下部と係脱自在な下方係合部が設けられており、これらを係合させて灰皿を収容することにより、灰皿が収容凹部に着脱自在に取り付けられる。このため、遊技施設の係員が灰皿の着脱を容易に行うことができ、例えば汚れがひどい場合には灰皿を取り外して丸洗い洗浄することができ、また損傷を受けた場合には専門の営業者を呼ぶまでもなく営業時間中に灰皿を交換することができる。
【００１３】
また、受け皿と灰皿との間に受け皿の開口上面よりも上方に突出する区画壁を形成することにより、受け皿と灰皿との間の遊技球や灰の往来を抑制することができる。このため、例えば遊技者が下球皿に貯留された遊技球を上球皿に持ち上げようとして下球皿から遊技球が溢れ出ても、溢れ出た遊技球が区画壁に阻止されて灰皿側に転落することがなく、また灰皿側のタバコの灰が溢れて下球皿に混入し遊技球が灰まみれになることもない。従って遊技機内部に運び込まれる灰の量を削減して二次的トラブルの発生を抑制することができる。
【００１４】
さらに、灰皿の配設位置は、従来の遊技機と同様に受け皿構造体に設けられるため、球箱載置台に従来同様の大型の球箱を載置して利用することができ、また遊技者が球箱載置台の灰皿に球箱をぶつけて灰皿をひっくり返したり破損させてしまうようなことがない。
【００１５】
従って、本発明に係る遊技機の灰皿構造によれば、前述した種々の問題を解決することができ、遊技者および遊技施設の双方にとって取り扱いが容易で快適な遊技環境を提供することができる。
【発明を実施するための最良の形態】
【００１６】
以下、本発明を実施するための形態について、添付図面を参照しながら説明する。本発明に係る灰皿構造を備えた遊技機の一例として、図１にガラス扉５および上球皿構造体６を開放した状態のパチンコ機ＰＭの正面図を示しており、まずこの図面を参照してパチンコ機ＰＭの全体概要について説明する。
【００１７】
パチンコ機ＰＭは、外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ機構により前方に横開き開閉および着脱が可能に取り付けられ、正面右側に設けられた施錠装置４を利用して常には外枠１と係合連結された閉鎖状態に保持される。
【００１８】
前枠２の前面上部には、前枠２の前面域に合わせた方形状のガラス扉５および上球皿構造体６が前方に横開き開閉および着脱可能に取り付けられ、正面右側に設けられた施錠装置４および球皿施錠装置を利用して前枠２の前面を覆う閉鎖状態に保持される。ガラス扉５の背後に位置する前枠上部には、遊技盤７を着脱可能に収容保持する収容枠が設けられており、この収容枠に遊技盤７が立設姿勢で保持され常には閉鎖施錠されるガラス扉５に前面域を臨ませている。遊技盤７は、所定板厚の積層合板の表面にセルを貼り付けてルーター加工した化粧板を基板とし、帯板状の案内レールに囲まれた略円形の遊技領域内に、多数本の遊技釘とともに風車や各種の入賞具、遊技の展開状況に応じて図柄を表示させる画像表示装置、左右のサイドランプなどの遊技構成部品が取り付けられ、遊技領域の下端部にアウト口が設けられて構成される。
【００１９】
前枠２の下部領域には、遊技盤７の直下に位置して遊技補助盤１０が形成され、遊技盤７に向けて遊技球を発射する遊技球発射装置１１、遊技領域に到達できずに戻ってきたファール球を回収して下球皿に流下させるファール球回収構造１２、遊技の展開状況に応じた効果音を発生させるスピーカ１３などが設けられている。遊技補助盤１０は常には閉鎖施錠される上球皿構造体６に前面が覆われている。遊技補助盤１０の下側には、遊技球発射装置の作動を操作する発射ハンドル１４が設けられるとともに、前方に突出して下球皿構造体２０が取り付けられている。
【００２０】
前枠２の後面側には、裏セット盤が前枠２の後方に横開き開閉可能に取り付けられている。裏セット盤については詳細図示を省略するが、払い出し用の遊技球を貯留する球貯留タンク、球貯留タンクに貯留された遊技球を遊技盤における入賞状態に応じて払い出す球払出装置、球払出装置から払い出された褒賞品としての遊技球を上通出口１６を介して上球皿に導く上球皿払出通路、上球皿払出通路が充満された状態でさらに球払出装置から遊技球が払い出されたときに、溢れ出る遊技球を下通出口１７を介して下球皿２３に導く下球皿払出通路などからなる賞球機構、および入賞具に入賞したセーフ球ならびにアウト口から回収されたアウト球を遊技島側の回収バスケットに導く遊技済み球排出機構が設けられている。また裏セット盤の背面には、主基板や払出制御基板などの各種回路基板が取り付けられており、各電装部品がコネクタケーブルで接続されてパチンコ機ＰＭが構成される。
【００２１】
以上のように概要構成されるパチンコ機ＰＭにあって、前枠２の前面下部に突出して設けられた下球皿構造体２０に、上方に開口して遊技球を貯留する下球皿２３と上面が開口した箱状の灰皿とを備える灰皿構造が設けられている。
【実施例１】
【００２２】
以下、図２〜図８の各図を参照して第１実施例の灰皿構造ＡＴ１について説明する。ここで、図２は灰皿構造ＡＴ１を左斜め前方から見た斜視図、図３は灰皿構造ＡＴ１の正面図、図４は灰皿構造ＡＴ１における灰皿５０の背面図、図５は灰皿構造ＡＴ１の平面図、図６は下球皿構造体の分解平面図、図７は図３中のVII−VII矢視の側断面図（灰皿装着状態における側断面図）、図８は灰皿着脱時における図７と同様位置の側断面図である。
【００２３】
灰皿構造ＡＴ１は、その構成を大別すると、灰皿５０と、この灰皿５０を収容保持する収容凹部６０とからなる。
【００２４】
灰皿５０は全体として上面開放の箱状で、前縁側が下球皿構造体２０の外形輪郭線に合わせた円弧状に形成され、例えばメラミン樹脂やフェノール樹脂などの耐熱性を有する熱硬化性樹脂を加工成型して図示する形状に形成される。吸い殻を収容する容体部は、前方が比較的浅く後方に向けて緩やかに深くなるもみ消し部５１と、もみ消し部５１の後方に一段深く形成された吸い殻貯留部５２との２段構成になっている。容体部５１，５２の上部には前後左右に拡開されて額縁状の縁部５３が形成され、前方の縁部の中央にはタバコの転動を防止するＵ字溝状のレスト部５３ｇが形成され、後方および左右の縁部には容体部５１，５２の周囲を取り囲む囲壁部５４が立設されている。
【００２５】
このため、図５に示すように、喫煙中のタバコを灰皿５０に仮置きしたときに、仮置きされたタバコがレスト部５３ｇに安定支持されて左右に転動したり灰皿の内外に落下するようなことがなく、また吸い殻貯留部５２をもみ消し部５１の後方に一段深く形成しているため、既に吸い殻貯留部５２に収容された吸い殻が、仮置きされたタバコの火やもみ消されたタバコの火種から離れて配設され、燃え移りにくい構成になっている。さらに、容体部５１，５２の周囲を取り囲むように縁部５３および囲壁部５４を形成しているため、タバコの灰や火種の飛散を防止するとともに、囲壁部５４が周辺構造を保護する防火壁としても機能し、一般的に熱可塑性樹脂を用いて形成される周辺構造物の熱変形を抑止した構成になっている。
【００２６】
なお、図５中に二点鎖線で示すように、もみ消し部５１の後端側に上方に突出するドット状ないしライン状の突起部５１ａを形成することにより、仮置きされたタバコが後方の吸い殻貯留部５２に滑り落ちることを防止して、他の吸い殻への燃え移りをさらに抑制した構成とすることも有効である。
【００２７】
灰皿５０の後部には、容体部の背面側に位置して灰皿側後方係合部が形成されている。灰皿側後方係合部は、後述する収容側後方係合部の連結ピン６５と嵌脱自在なテーパ穴状のピン受容穴５５、およびピン受容穴５５の下側に下方に開くコの字状に立設されて収容側後方係合部の支持凸部６６と係脱自在な受容壁５６とからなり、灰皿５０に一体に成型されている。
【００２８】
灰皿５０の下面側では、もみ消し部５１よりも一段深く形成された吸い殻貯留部５２の下面により略矩形の平坦な灰皿底面５７が形成され、もみ消し部５１の前端側の下面には下方に向けて舌片状の指掛け部５９が突出成型されている。指掛け部５９の突出高さは、下端の縁面が灰皿底面５７と同一平面上に位置するように形成されており、灰皿５０を平坦なテーブル面等に載置したときに、指掛け部５９が支持脚として機能し灰皿５０が前後に傾いたりぐらついたりすることなく安定姿勢で支持されるようになっている。
【００２９】
一方、収容凹部６０が設けられた下球皿構造体２０は、図６に収容凹部近傍の分解平面図を示すように、下球皿構造体２０の基体をなすベース体２１と、球皿構造体２０の外殻をなす外装体２２とを主体とし、ベース体２１に図示省略する球抜き機構を組み付け、その前方から外装体２２を覆い被せるように係合させて、ベース体２１の後面側から外装体２２をネジ固定することで一体のアッセンブリに形成される。そして、このように部分組立された下球皿構造体２０を前枠下部の取付位置に嵌合位置決めして、前枠２の後面側からベース体２１をネジ固定することで、下球皿構造体２０が前枠２の下部所定位置に組み付けられる。
【００３０】
灰皿５０を収容保持する収容凹部６０は、下球皿構造体２０における下球皿２３と隣接してその左側に設けられており、外装体２２が灰皿５０の形状寸法に合わせて正面視凹状に切り欠かれ前面および上面開放の収容室が形成されるとともに、その奥部に灰皿５０の後部と係脱自在な収容側後方係合部および灰皿５０の下部と係脱自在な収容側下方係合部が設けられて構成される。
【００３１】
収容凹部６０の幅寸法、具体的には外装体２２における切り欠き部の左右の壁面間隔は、灰皿５０における容体部５１，５２の外形幅に合わせてわずかに大きめに形成されており、左右の壁面の上方には縁部５３および囲壁５４の形状寸法に合わせた支持レール部６３が形成されている。収容凹部６０と下球皿２３との間では、外装体２２が上方に延出されて一定幅を有する区画壁６４が形成されており、その突出高さは下球皿２３の開口上面および灰皿装着時における容体部５１，５２の開口上面よりも高く、後方に向けて徐々に高くなる傾斜壁に形成されている。
【００３２】
収容凹部６０の下側では、外装体２２の周囲の底面と同一面上に底面カバー６８が形成されいる。底面カバー６８はその前縁が収容凹部６０における左側の壁面の前端位置に合わせて左右の壁面を繋いで形成され、前縁中央には半円形に切り欠かれた指入れ部６９が形成されている。
【００３３】
一方、収容凹部６０の奥部では、ベース体２１の立設面が収容凹部６０に面して後方壁面を形成し、この後方壁面に灰皿５０の後部と係脱自在な収容側後方係合部が設けられている。また後方壁面の下側には底面カバー６８の上方に位置して収容凹部６０に突出する支持台座６７が形成されており、その上面が収容凹部６０の収容側下方係合部を構成する。
【００３４】
後方壁面に設けられた収容側後方係合部は、前方に突出成型されたテーパピン状の連結ピン６５、および連結ピン６５の下側に位置して前方に膨出成型された矩形箱状の支持凸部６６からなり、連結ピン６５が灰皿５０の後面に形成されたピン受容穴５５と嵌脱自在に、支持凸部６６が受容壁５６と係脱自在に形成されている。
【００３５】
支持台座６７は、灰皿底面５７（吸い殻貯留部５２の下面）を支持する台座であり、ピン受容穴５５を連結ピン６５に嵌合させて灰皿５０を収容凹部６０に装着したときの灰皿底面５７の高さ位置を基準として形成されている。支持台座６７の前端側は灰皿底面５７の配設位置よりも幾分前方に延びて形成されており、その上面側に灰皿底面の前方Ｒ部と位置整合する側面視三角形状の脱落防止突起６７ｓ，６７ｓが張出成型されている。また支持台座６７の下面側には、脱落防止突起６７ｓ，６７ｓの外側に位置して下方に突出し、前後に延びる細畦状のスペーサリブ６７ｔ，６７ｔが形成されており、底面カバー６８と支持面との間に所定の放熱空間を形成しつつ底面カバー６８に安定支持されるようになっている。
【００３６】
さて、以上のように各部が構成される灰皿構造ＡＴ１では、灰皿５０の灰皿側後方係合部５５，５６を収容凹部６０の収容側後方係合部６５，６６に係合させ、灰皿底面５７を支持台座６７に支持させることで、灰皿５０が収容凹部６０に着脱自在に装着される。
【００３７】
灰皿５０の装着時には、図８に示すように収容凹部６０の前方斜め上方から灰皿５０を前傾姿勢で嵌挿し、灰皿５０の左右の縁部５３を収容凹部６０の左右の支持レール部６３に支持および案内させて、ピン受容穴５５を連結ピン６５の先端部に係合させる。このとき、灰皿底面５７の前方Ｒ部が支持台座６７に形成された脱落防止突起６７ｓの傾斜面と係合する。そこで、脱落防止突起６７ｓの傾斜面を滑らせるようにして灰皿５０を後方にスライドさせつつ前端側を下方に揺動させる。するとピン受容穴５５が連結ピン６５を受容して嵌合し、受容壁５６が支持凸部６６の上面および左右面と係合し、灰皿底面５７が支持台座６７の支持面と係合し、さらに左右の縁部５３および囲壁部５４が支持レール部６３と係合して灰皿５０が収容凹部６０に装着される。
【００３８】
こうして灰皿５０が収容凹部６０に装着されると、灰皿５０は上記各部の係合関係によって位置決め支持され、上下左右方向への移動、連結ピン６５を軸とする左右方向の傾動、連結ピン嵌合部近傍を支点とする上下方向の揺動、ならびに水平面内での旋回動が規制され、また後方壁面と脱落防止突起６７ｓとにより前後方向の移動が規制されて、挿抜方向（前方への移動と上方への揺動の組み合わせ）を除く６自由度の変位が規制され収容凹部６０に安定的に係止保持される。
【００３９】
灰皿５０が装着された状態では、下球皿２３と灰皿５０との間に下球皿２３の開口上面および容体部５１，５２の開口上面よりも高く延出された区画壁６４が存在しており、下球皿２３と灰皿５０との間で遊技球や灰が行き来し難い構成になっている。このため、例えば遊技者が下球皿２３に貯留された遊技球をすくい上げようとして下球皿２３から遊技球が溢れても、溢れ出た遊技球が区画壁６４に阻止されて灰皿５０側に転落することがなく、また灰皿５０に仮置きしたタバコが転動して下球皿２３に転落したり、容体部５１，５２に収容されたタバコの灰がもみ消し時に溢れて下球皿２３に混入し遊技球が灰まみれになるようなこともない。さらに、この区画壁６４が一定幅を有して前方に下傾して形成されているため、万が一遊技球が区画壁６４の上面に乗った場合であっても前方に導かれて灰皿５０側に転落しにくい構成になっている。
【００４０】
また灰皿構造ＡＴ１では、底面カバー６８および支持台座６７を短く形成し、もみ消し部５１の下面側が開放状態になるように構成している。このため、灰皿５０の各部のうちで最も高温になる頻度が高いもみ消し部５１の放熱性が良好であり、仮置きされたタバコの火やもみ消されたタバコの火種による過熱を防止して灰皿５０の損傷を抑えることができる。また吸い殻貯留部５２の下面（灰皿底面５７）を支持する支持台座６７には、スペーサーリブ６７ｔを設けてすのこ状に形成し、底面カバー６８と支持台座６７との間に放熱空間を形成している。このため、灰皿底面５７から伝達される熱が蓄熱されるようなことがなく、一般的に熱可塑性樹脂材料を用いて一体成型されるベース体２１の熱変形や劣化を抑制することができる。
【００４１】
一方、装着された灰皿５０を取り外すときには、底面カバー６８に切り欠き形成された指入れ部６９に指を差し入れ、もみ消し部下面の指掛け部５９に指を掛けて手前に引き上げ、灰皿５０を前方にスライドさせつつ前端側を上方に揺動させる。すると灰皿底面５７の前端Ｒ部が脱落防止突起６７ｓの傾斜面を乗り越えるように滑り、ピン受容穴５５と連結ピン６５との嵌合、受容壁５６と支持凸部６６との係合、ならびに灰皿底面５７と支持台座６７との係合が解除される。そこで、灰皿５０を水平前方〜上方に引き出すことで灰皿５０が収容凹部６０から取り外される。
【００４２】
このため、遊技施設の係員が灰皿５０の着脱を容易に行うことができる。灰皿５０は下球皿２３と隣接する球皿構造体２０の正面左側に設けられており、遊技施設の係員は遊技者の遊技を妨げることなく灰皿５０を脱着し、遊技者の後方で吸い殻をバケツ等に回収できる。従って、従来の回動形態の灰皿のように、回収操作を誤って吸い殻や灰を周辺にまき散らしてしまうようなことがなく、さらに灰皿５０を脱着するときの灰皿の傾き角が５度程度と小さいため、収容された吸い殻が灰皿後方にこぼれ落ちる心配もない。
【００４３】
また、日常の点検や盤面交換等において、灰皿５０の汚れがひどいような場合には灰皿５０を取り外して丸洗い洗浄することができ、損傷を受けているような場合には灰皿５０を簡単に交換することができる。従って、以上説明した灰皿構造ＡＴ１によれば、従来課題とされた種々の問題を解決することができ、このような灰皿構造を備えることにより、遊技者および遊技施設の双方にとって取り扱いが容易で快適な遊技環境を提供することができる。
【００４４】
なお、実施例では連結ピン６５および単純揺動による脱落を規制する支持凸部６６を収容凹部６０側に設け、連結ピン６５と嵌合するピン受容穴５５および支持凸部６６と係合する受容壁５６を灰皿５０側に設けた例を示したが、これら各部の配設位置は灰皿５０側と収容凹部６０側とを逆に構成してもよく、また連結ピン６５や支持台座６７を金属製としてもよい。
【実施例２】
【００４５】
次に、図９〜図１１を参照して第２実施例の灰皿構造ＡＴ２について説明する。ここで図９は灰皿構造ＡＴ２の平面図、図１０は図７と同様位置で切断した灰皿装着状態における灰皿構造ＡＴ２の側断面図、図１１は灰皿着脱時における図１０と同様位置の側断面図である。なお灰皿構造ＡＴ２は、大別的には灰皿７０と収容凹部８０とからなり、両者の係合部を除く全体構成は、前述した灰皿５０と主要凹部６０とからなる灰皿構造ＡＴ１と同様である。そこで、灰皿構造ＡＴ１と同様部分に同一番号を付して重複説明を省略し、以下、灰皿７０および収容凹部８０の係合部の構成を中心に詳細に説明する。
【００４６】
灰皿７０の容体部は、前方が浅く後方に向けて緩やかに深くなるもみ消し部５１と、もみ消し部５１の後方に一段深く形成された吸い殻貯留部５２との２段構成になっており、その上部には額縁状の縁部５３が形成され、後方および左右の縁部には容体部５１，５２の周囲を取り囲む囲壁部５４が立設されている。左右の縁部には下方に突出してガイド突起７３が形成されている。
【００４７】
灰皿７０の後部には、囲壁部５４の上端中央部が一部切り欠かれて凹状の掛止溝７５が形成されている。また灰皿７０の下面側では、吸い殻貯留部５２の下面により平坦な灰皿底面５７が形成され、もみ消し部５１の下面中央には先端にテーパ面を有する係止ピン７７が補強リブとともに突出成型されている。係止ピン７７の突出高さは、ピン先端の端面が灰皿底面５７と同一平面上に位置するように形成されており、灰皿７０を平坦なテーブル面等に載置したときに、係止ピン７７が支持脚として機能し灰皿７０が前後に傾いたりぐらついたりすることなく安定姿勢で支持されるようになっている。
【００４８】
一方、収容凹部８０は、外装体２２が灰皿７０の形状寸法に合わせて正面視凹状に切り欠かれ前面および上面開放の収容室が形成されるとともに、その奥部に灰皿７０の後部と係脱自在な収容側後方係合部および灰皿７０の下部と係脱自在な収容側下方係合部が設けられて構成される。
【００４９】
収容凹部８０の左右の壁面間隔は、灰皿７０の容体部５１，５２の外形幅よりもわずかに大きめに形成されるとともに、左右の壁面の上方に縁部５３および囲壁５４の形状寸法に合わせた支持レール部６３が形成され、この左右の支持レール部６３に灰皿側のガイド突起７３と係脱自在に係合して灰皿５０の装着を案内するＶ字状のガイド溝８３が形成されている。収容凹部８０と下球皿２３との間には前述同様の区画壁６４が設けられており、その突出高さは下球皿２３の開口上面および灰皿装着時における容体部５１，５２の開口上面よりも高く形成されている。
【００５０】
収容凹部８０の奥部では、ベース体２１の立設面が収容凹部８０に面して後方壁面を形成し、この後方壁面の上端中央部に灰皿７０の掛止溝７５と係脱自在な掛止突起８５が設けられている。すなわち本実施例では掛止突起８５およびその下部領域が灰皿７０の後部と係脱自在な収容側後方係合部を構成する。なお、掛止突起８５および掛止溝７５の係合端部は、図１０中に部分拡大図を示すように、ともに側断面視円弧状に形成されており、滑らかに係脱し得るようになっている。後方壁面の下側には収容凹部８０に突出する支持台座６７が形成され、灰皿底面５７を支持し得るようになっている。
【００５１】
収容凹部８０の下側では、外装体２２の周囲の底面と同一面上に底面カバー６８が形成されている。底面カバー６８はその前縁が収容凹部８０における左側の壁面の前端位置に合わせて左右の壁面を繋いで形成され、前端側中央部には上方に突出して前方に延びるクランク状の収容側下方係合部が設けられている。収容側下方係合部は左右対称に形成された一対のクランプアーム８６，８６からなり、基端部から切り離された左右のクランプアームが中央の溝を挟んで左右に弾性変位可能に形成されるとともに、溝の先端部には灰皿側の係止ピン７７を受容して弾性的に挟持し、係止ピン７７を係止し得るピン受容部８７が形成されている。
【００５２】
以上のように各部が構成される灰皿構造ＡＴ２では、灰皿７０の掛止溝７５を収容凹部８０の掛止突起８５に係合させ、係止ピン７７をピン受容部８７に嵌合させることで、灰皿７０が収容凹部８０に着脱自在に装着される。
【００５３】
灰皿７０の装着時には、図１１に示すように収容凹部８０の前方斜め上方から灰皿７０を前傾姿勢で嵌挿し、灰皿７０の左右の縁部５３を収容凹部８０の左右の支持レール部６３に支持および案内させて、掛止溝７５を掛止突起８５に係合させる。そして係止溝７５と掛止突起８５の係合部を支点にして灰皿７０の前端側を下方に揺動させ、ガイド突起７３をガイド溝８３に沿って滑らせるように沈み込ませる。
【００５４】
すると、係止ピン７７の先端に形成されたテーパ面が斜め上方からピン受容部８７に進入して係合し、ピン受容部８７を押し開くように左右のクランプアーム８６，８６を弾性変形させながらピン受容部８７に嵌入して、係止ピン７７が左右のクランプアーム８６に弾性的に挟持された状態で係止される。このとき、灰皿底面５７が支持台座６７の支持面と係合し、左右の縁部５３および囲壁部５４が支持レール部６３と係合し、ガイド突起７３がガイド溝８３の底部と係合して灰皿７０が収容凹部８０に装着される。
【００５５】
こうして灰皿７０が収容凹部８０に装着されると、灰皿７０は上記各部の係合関係によって位置決め支持され、上下左右ならびに前後方向への移動、左右方向の傾動、掛止突起８５を支点とする上下方向の揺動、および水平面内での旋回動が規制されて、６自由度の変位が規制され収容凹部８０に安定的に係止保持される。
【００５６】
灰皿７０が装着された状態では、下球皿２３と灰皿７０との間に両者の開口上面よりも高く延出された区画壁６４が存在しており、下球皿２３と灰皿７０との間で遊技球や灰が行き来し難い構成になっている。このため、例えば遊技者が下球皿２３に貯留された遊技球をすくい上げようとして下球皿２３から遊技球が溢れても、溢れ出た遊技球が区画壁６４に阻止されて灰皿７０側に転落することがなく、また灰皿７０に仮置きしたタバコが転動して下球皿２３に転落したり、容体部５１，５２に収容されたタバコの灰がもみ消し時に溢れて下球皿２３に混入し遊技球が灰まみれになるようなこともない。さらに、この区画壁６４が一定幅を有して前方に下傾して形成されているため、万が一遊技球が区画壁６４の上面に乗った場合であっても前方に導かれて灰皿７０側に転落しにくい構成になっている。
【００５７】
また灰皿構造ＡＴ２では、底面カバー６８および支持台座６７を短く形成し、もみ消し部５１の下面側が開放状態になるように構成している。このため、灰皿７０の各部のうちで最も高温になる頻度が高いもみ消し部５１の放熱性が良好であり、仮置きされたタバコの火やもみ消されたタバコの火種による過熱を防止して灰皿７０の損傷を抑えることができる。また吸い殻貯留部５２の下面を支持する支持台座６７には、スペーサーリブ６７ｔを設けてすのこ状に形成し、底面カバー６８と支持台座６７との間に放熱空間を形成している。このため、灰皿底面５７から伝達される熱が蓄熱されるようなことなく、ベース体２１の熱変形や劣化を抑制することができる。
【００５８】
一方、装着された灰皿７０を取り外すときには、係止ピン７７の下端面またはもみ消し部５１の下面に指を掛けて手前に引き上げ、掛止溝７５と掛止突起８５との係合部を支点にして灰皿７０の前端側を上方に揺動させる。するとピン受容部８７に弾性的に挟持されていた係止ピン７７が外れて係止が解除され、ガイド突起７３がガイド溝８３の傾斜面を滑るように上動して各部の係合が解除される。そこで、灰皿７０を水平前方〜上方に引き出すことで灰皿７０が収容凹部８０から取り外される。
【００５９】
このため、遊技施設の係員が灰皿７０の着脱を容易に行うことができる。灰皿７０は球皿構造体２０の正面左側に設けられており、遊技施設の係員は遊技者の遊技を妨げることなく灰皿７０を脱着し、遊技者の後方で吸い殻をバケツ等に回収できる。従って、従来の回動形態の灰皿のように、回収操作を誤って吸い殻や灰を周辺にまき散らしてしまうようなことがない。また、日常の点検や盤面交換等において、灰皿７０の汚れがひどいような場合には灰皿７０を取り外して丸洗い洗浄することができ、損傷を受けているような場合には灰皿７０を簡単に交換することができる。従って、以上説明した灰皿構造ＡＴ２においても、従来課題とされた種々の問題を解決することができ、このような灰皿構造を備えることにより、遊技者および遊技施設の双方にとって取り扱いが容易で快適な遊技環境を提供することができる。
【００６０】
なお、実施例では、掛止溝７５および係止ピン７７を灰皿７０側に設け、掛止溝と係合する掛止突起８５および係止ピンを受容して係止するピン受容部８７を収容凹部８０側に設けた例を示したが、これら各部の配設位置は灰皿７０側と収容凹部８０側とを逆に構成してもよく、また掛止溝７５を形成することなく掛止突起８５が囲壁５４の上端部と係合するように構成してもよい。
【００６１】
さらに、以上の各実施例では灰皿構造ＡＴをパチンコ機ＰＭに適用した場合について説明したが、本発明はかかる形態の遊技機にのみ限定されるものではなく、遊技機の前面に受け皿構造体が設けられ、この受け皿構造体に、上方に開口して遊技機から払い出された褒賞品を貯留する受け皿と、上面が開口した箱状の灰皿とを備えた遊技機であれば同様に適用し同様の効果を得ることができる。このような遊技機の他の適用例として、スロットマシン（回胴式遊技機）に第１実施例で説明した灰皿構造ＡＴ１と略同様の灰皿構造ＡＴ１′を適用した例を図１２に示しており、以下簡潔に説明する。
【第３実施例】
【００６２】
スロットマシンＳＭは、矩形箱状に形成されて遊技機の筐体をなすキャビネットボックスの開口前面に、開口面域に合わせて形成されたフロントマスク１０２が横開き開閉可能に取り付けられ、正面右側に設けられた施錠装置１０４により常にはキャビネットボックスと係合連結された閉鎖状態に保持される。
【００６３】
キャビネットボックスの内部には、スロットマシンＳＭの作動を統括的に制御する主基板、円筒外周面に沿って多数の図柄が描かれた三つのリールを回転・停止させるリール装置、入賞状態に応じて褒賞品としての遊技メダルを払い出すメダル払出装置、主基板やリール装置、メダル払出装置等に電力を供給する電源ユニットなどが取り付けられている。
【００６４】
一方、フロントマスク１０２には、メダル投入口１１４、全リールの回転起動操作を行うスタートレバー１１５、各リールに対応して設けられリールごとに停止操作を行う停止ボタン１１６などが取り付けられている。フロントマスク１０２の中央部には、キャビネットボックス側のリール装置と位置整合して透視窓が設けられ、各リールの円筒外周面に描かれた多数の図柄のうち所定範囲（例えば上下３つの図柄の範囲）を遊技機正面から透視可能になっている。
【００６５】
フロントマスク１０２の下部中央にはメダル払出口１１７が設けられ、その下側に前方に突出する受け皿構造体１２０が設けられている。受け皿構造体１２０には上面開放のメダル受け１２３が設けられており、メダル払出装置から払い出された遊技メダルがメダル払出口１１７を通ってメダル受け１２３に受け止められ貯留されるようになっている。そして、このメダル受け１２３と隣接する受け皿構造体１２０の左側に、前述した灰皿構造ＡＴ１と同様の灰皿５０および収容凹部６０を有する灰皿構造ＡＴ１′が設けられている。
【００６６】
このため、遊技施設の係員が遊技者の遊技を妨げることなく灰皿５０を容易に脱着することができ、遊技者の後方で吸い殻をバケツ等に回収できる。また、日常の点検や機種変更等において、灰皿５０の汚れがひどいような場合には灰皿５０を取り外して丸洗い洗浄することができ、損傷を受けているような場合には灰皿５０を簡単に交換することができる。
【００６７】
また、灰皿５０とメダル受け１２３との間には、メダル受け１２３の開口上面および灰皿５０における容体部５１，５２の開口上面よりも高い区画壁６４′が形成されており、メダル受け１２３と灰皿５０との間で灰や遊技メダルが行き来し難い構成になっている。このため、例えば遊技者がメダル受け１２３に貯留された遊技メダルをすくい上げようとしてメダル受け１２３から遊技メダルが溢れても、区画壁６４′および囲壁部５４に阻止されて灰皿５０内に転落し難く、また灰皿５０に仮置きしたタバコが転動してメダル受け１２３に転落したり、容体部に収容されたタバコの灰がもみ消し時に溢れてメダル受け１２３に混入し遊技メダルが灰まみれになるようなことがない。
【００６８】
さらに、灰皿構造ＡＴ１′においても、もみ消し部５１の下面側が開放状態になるように構成しているためもみ消し部５１の放熱性が良好であり、仮置きされたタバコの火やもみ消されたタバコの火種による過熱を防止して灰皿５０の損傷を抑えることができる。
【００６９】
従って、以上説明した灰皿構造ＡＴ１′によれば、スロットマシンなどの他の形態の遊技機においても従来課題とされた種々の問題を解決することができ、このような灰皿構造を備えることにより、遊技者および遊技施設の双方にとって取り扱いが容易で快適な遊技環境を提供することができる。
【図面の簡単な説明】
【００７０】
【図１】本発明に係る灰皿構造を適用した遊技機の一例として示す、ガラス扉および上球皿構造体を開放した状態におけるパチンコ機の正面図である。
【図２】第１実施例の灰皿構造ＡＴ１を左斜め前方から見た斜視図である。
【図３】上記灰皿構造ＡＴ１の正面図である。
【図４】上記灰皿構造における灰皿の背面図である。
【図５】上記灰皿構造ＡＴ１の平面図である。
【図６】上記灰皿構造ＡＴ１における下球皿構造体の分解平面図である。
【図７】図３中のVII−VII矢視の側断面図である。
【図８】灰皿着脱時における図７と同様位置の側断面図である。
【図９】第２実施例の灰皿構造ＡＴ２の平面図である。
【図１０】灰皿装着状態における上記灰皿構造ＡＴ２の側断面図である。
【図１１】灰皿着脱時におけ上記灰皿構造ＡＴ２の側断面図である。
【図１２】本発明に係る灰皿構造を適用した遊技機の他の一例として示すスロットマシンの正面図である。
【符号の説明】
【００７１】
ＰＭ  パチンコ機
ＳＭ  スロットマシン
ＡＴ１  灰皿構造（第１実施例）
ＡＴ２  灰皿構造（第２実施例）
ＡＴ１′  灰皿構造（第３実施例）
１  外枠
２  前枠
４  施錠装置
５  ガラス扉
６  上球皿構造体
７  遊技盤
１０  遊技補助盤
１１  遊技球発射装置
１２  ファール球回収構造
１３  スピーカ
１４  発射ハンドル
１６  上通出口
１７  下通出口
２０  下球皿構造体
２１  ベース体
２２  外装体
２３  下球皿
５０  灰皿
５１  もみ消し部（５１ａ  突起部）
５２  吸い殻貯留部
５３  縁部（５３ｇ  レスト部）
５４  囲壁部
５５  ピン受容穴
５６  受容壁
５７  灰皿底面
５９  指掛け部
６０  収容凹部
６３  支持レール部
６４，６４′  区画壁
６５  連結ピン
６６  支持凸部
６７  支持台座（６７ｓ  脱落防止突起、６７ｔ  スペーサーリブ）
６８  底面カバー
６９  指入れ部
７０  灰皿
７３  ガイド突起
７５  掛止溝
７７  係止ピン
８０  収容凹部
８３  ガイド溝
８５  掛止突起
８６  クランプアーム
８７  ピン受容部
１０２  フロントマスク
１０４  施錠装置
１１４  メダル投入口
１１５  スタートレバー
１１６  停止ボタン
１１７  メダル払出口
１２０  受け皿構造体
１２３  メダル受け
【図１】
2005052334.tif 000003
【図２】
2005052334.tif 000004
【図３】
2005052334.tif 000005
【図４】
2005052334.tif 000006
【図５】
2005052334.tif 000007
【図６】
2005052334.tif 000008
【図７】
2005052334.tif 000009
【図８】
2005052334.tif 000010
【図９】
2005052334.tif 000011
【図１０】
2005052334.tif 000012
【図１１】
2005052334.tif 000013
【図１２】
2005052334.tif 000014